(57)【要約】      （修正有）【課題】より効率的に紙葉類を検査することができる紙葉類の再検査装置、紙葉類検査システム、及び紙葉類検査方法を提供する。【解決手段】紙葉類処理装置１００から排出された排除券としての紙葉類を１枚ずつ取り込む取り込み部１１３と、取り込まれた紙葉類を第１の速度より遅い第２の速度で搬送する搬送部１１５と、第２の速度で搬送されている紙葉類を第１の検査項目のセットで検査する第１の検査部１１６と、検査の結果に基づいて、紙葉類を排除するか否か判別する判別部と、判別の結果に基づいて、排除しないと判別された紙葉類を計数する第１の計数部と、判別部により排除すると判別された紙葉類を第１の検査項目のセットより項目の少ない第２の検査項目のセットで検査する第２の検査部と、計数の結果を出力する出力部とを具備する。【選択図】図３
2014063331.tif 000002
【特許請求の範囲】
【請求項１】
紙葉類を第１の速度で搬送し、搬送されている前記紙葉類を第１の判定閾値に基づいて検査し、検査の結果に基づいて前記紙葉類を排除する紙葉類処理装置から排除された排除券を再検査する再検査装置であって、
前記紙葉類処理装置から排出された排除券としての紙葉類を１枚ずつ取り込む取り込み部と、
取り込まれた前記紙葉類を前記第１の速度より遅い第２の速度で搬送する搬送部と、
前記第２の速度で搬送されている前記紙葉類を第１の検査項目のセットで検査する第１の検査部と、
前記検査の結果に基づいて、前記紙葉類を排除するか否か判別する判別部と、
前記判別の結果に基づいて、排除しないと判別された前記紙葉類を計数する第１の計数部と、
前記判別部により排除すると判別された前記紙葉類を前記第１の検査項目のセットより項目の少ない第２の検査項目のセットで検査する第２の検査部と、
前記計数の結果を出力する出力部と、
を具備する紙葉類の再検査装置。
【請求項２】
前記判別の結果に因らず、前記搬送部により搬送されている紙葉類を計数する第２の計数部と、
前記第１の計数部及び前記第２の計数部により計数された前記紙葉類を裁断する裁断部と、
をさらに具備する請求項１に記載の再検査装置。
【請求項３】
前記第１及び第２の検査部により前記紙葉類から検出された検出値を記憶する記憶部をさらに具備する請求項２に記載の再検査装置。
【請求項４】
前記記憶部は、前記第１及び第２の検査部による検査が実行された日付、検査担当者、及び前記紙葉類の券種を示す情報を前記検出値に対応付けて記憶する、請求項３に記載の再検査装置。
【請求項５】
前記記憶部により記憶されている前記検出値を、前記日付、前記検査担当者、及び前記紙葉類の券種のいずれかの条件に基づいて検索する検索部をさらに具備する請求項４に記載の再検査装置。
【請求項６】
紙葉類処理装置と、前記紙葉類処理装置から排除された排除券を再検査する再検査装置とを有する紙葉類検査システムであって、
前記紙葉類処理装置は、
前記紙葉類を１枚ずつ取り込む第1の取り込み部と、
取り込まれた前記紙葉類を第１の速度で搬送する第１の搬送部と、
前記第１の速度で搬送されている前記紙葉類を第１の検査項目のセットで検査する第１の検査部と、
前記検査の結果に基づいて、前記紙葉類を排除するか否か判別する第１の判別部と、
前記判別の結果に基づいて、排除しないと判別された前記紙葉類を計数する第１の計数部と、
前記計数の結果を出力する第１の出力部と、
を具備し、
前記再検査装置は、
前記第１の判別部により排除すると判別された排除券としての紙葉類を１枚ずつ取り込む第２の取り込み部と、
取り込まれた前記紙葉類を前記第１の速度より遅い第２の速度で搬送する第２の搬送部と、
前記第２の速度で搬送されている前記紙葉類を第２の検査項目のセットで検査する第２の検査部と、
前記検査の結果に基づいて、前記紙葉類を排除するか否か判別する第２の判別部と、
前記判別の結果に基づいて、排除しないと判別された前記紙葉類を計数する第２の計数部と、
前記第２の判別部により排除すると判別された前記紙葉類を前記第２の検査項目のセットより項目の少ない第３の検査項目のセットで検査する第３の検査部と、
前記計数の結果を出力する第２の出力部と、
を具備する紙葉類検査システム。
【請求項７】
紙葉類処理装置と、前記紙葉類処理装置から排除された排除券を再検査する再検査装置とを有する紙葉類検査システムに用いられる紙葉類検査方法であって、
前記紙葉類処理装置は、
前記紙葉類を１枚ずつ取り込み、
取り込まれた前記紙葉類を第１の速度で搬送し、
前記第１の速度で搬送されている前記紙葉類を第１の検査項目のセットで検査し、
前記検査の結果に基づいて、前記紙葉類を排除するか否か判別し、
前記判別の結果に基づいて、排除しないと判別された前記紙葉類を計数し、
前記計数の結果を出力し、
前記再検査装置は、
前記紙葉類処理装置により排除すると判別された排除券としての紙葉類を１枚ずつ取り込み、
取り込まれた前記紙葉類を前記第１の速度より遅い第２の速度で搬送し、
前記第２の速度で搬送されている前記紙葉類を第２の検査項目のセットで検査し、
前記検査の結果に基づいて、前記紙葉類を排除するか否か判別し、
前記判別の結果に基づいて、排除しないと判別された前記紙葉類を計数し、
前記第２の検査項目のセットに基づく判別の結果に基づいて、排除すると判別された前記紙葉類を前記第２の検査項目のセットより項目の少ない第３の検査項目のセットで検査し、
前記第３の検査項目のセットに基づく検査の結果に基づいて、前記紙葉類を排除するか否か判別し、
前記第３の検査項目のセットに基づく判別の結果に基づいて、排除しないと判別された前記紙葉類を計数し、
前記計数の結果を出力する、
紙葉類検査方法。
【発明の詳細な説明】
【技術分野】
【０００１】
本発明の実施形態は、紙葉類の再検査装置、紙葉類検査システム、及び紙葉類検査方法に関する。
【背景技術】
【０００２】
従来、例えば紙葉類の計数及び判別を行う紙葉類処理装置が実用化されている。紙葉類処理装置は、投入部に投入された紙葉類を１枚ずつ取り込み、紙葉類の検査装置に搬送する。検査装置は、紙葉類に対して種々の処理を行い紙葉類の状態を判別する。
【０００３】
紙葉類処理装置は、検査装置の検査結果に基づいて、紙葉類の券種（ｄｅｎｏｍｉｎａｔｉｏｎ）、紙葉類の汚れの度合い（汚損度：Ｆｉｔｎｅｓｓ  Ｌｅｖｅｌ）、及び紙葉類の真偽（ａｕｔｈｅｎｔｉｃａｔｉｏｎ）などを判別する。紙葉類処理装置は、判別結果に基づいて、紙葉類を区分して集積する。
【０００４】
また、紙葉類処理装置により処理することができなかった紙葉類（排除券）に対して検査を行う再検査装置が実用化されている。再検査装置は、排除券の検査を行い、紙葉類の券種、汚損度、及び真偽などを判別する。
【先行技術文献】
【特許文献】
【０００５】
【特許文献１】特開２００７−２４１７４２号公報
【発明の概要】
【発明が解決しようとする課題】
【０００６】
紙葉類処理装置、及び再検査装置を操作するオペレータは、紙葉類処理装置から排除された排除券を再検査装置に投入する。再検査装置は、投入された排除券を再検査する。このような紙葉類の再検査の効率化が求められている。
【０００７】
本発明は、より効率的に紙葉類を検査することができる紙葉類の再検査装置、紙葉類検査システム、及び紙葉類検査方法を提供することを目的とする。
【課題を解決するための手段】
【０００８】
一実施形態に係る紙葉類の再検査装置は、紙葉類を第１の速度で搬送し、搬送されている前記紙葉類を第１の判定閾値に基づいて検査し、検査の結果に基づいて前記紙葉類を排除する紙葉類処理装置から排除された排除券を再検査する再検査装置であって、前記紙葉類処理装置から排出された排除券としての紙葉類を１枚ずつ取り込む取り込み部と、取り込まれた前記紙葉類を前記第１の速度より遅い第２の速度で搬送する搬送部と、前記第２の速度で搬送されている前記紙葉類を検査する検査部と、前記検査の結果に基づいて、前記紙葉類を排除するか否か判別する判別部と、前記判別の結果に基づいて、排除しないと判別された前記紙葉類を計数する計数部と、前記計数の結果を出力する出力部と、を具備する。
【図面の簡単な説明】
【０００９】
【図１】図１は、一実施形態に係る紙葉類検査システムについて説明する為の図である。
【図２】図２は、一実施形態に係る紙葉類処理装置について説明する為の図である。
【図３】図３は、一実施形態に係る紙葉類処理装置について説明する為の図である。
【図４】図４は、一実施形態に係る紙葉類処理装置について説明する為の図である。
【図５】図５は、一実施形態に係る紙葉類検査システムについて説明する為の図である。
【図６】図６は、一実施形態に係る再検査装置について説明する為の図である。
【図７】図７は、一実施形態に係る再検査装置について説明する為の図である。
【図８】図８は、一実施形態に係る再検査装置について説明する為の図である。
【図９】図９は、一実施形態に係る再検査装置について説明する為の図である。
【発明を実施するための形態】
【００１０】
以下、図面を参照しながら紙葉類の再検査装置、紙葉類検査システム、及び紙葉類検査方法の実施形態について、詳細に説明する。  
図１は、一実施形態に係る紙葉類検査システム１の構成の例を示す。  
紙葉類検査システム１は、少なくとも１台以上の紙葉類処理装置１００、再検査装置２００、及びサーバ３００を備える。紙葉類処理装置１００、再検査装置２００、及びサーバ３００は、ネットワークを介して互いにデータを送受信可能な状態で接続されている。
【００１１】
紙葉類処理装置１００は、投入された複数枚の紙葉類を一枚ずつ高速で取り込み、取り込んだ紙葉類の券種、汚損度、及び真偽などを検査する。紙葉類処理装置１００は、再使用が可能であると判断した紙葉類を計数する。また、紙葉類処理装置１００は、検査済みの再使用可能な紙葉類を結束して排出する。
【００１２】
また、紙葉類処理装置１００は、各紙葉類毎に再検査が必要であるか否か判断する。紙葉類処理装置１００は、再検査が必要であると判断された紙葉類を排除券として排出する。
【００１３】
なお、紙葉類処理装置１００は、紙葉類の束の間に挿入されたバッチカードを処理する。バッチカードには、固有の識別情報（ＩＤ）が印刷されている。紙葉類処理装置１００は、バッチカードを光学的にスキャンし、識別情報を取得する。
【００１４】
紙葉類処理装置１００は、紙葉類の計数結果、紙葉類の種別、バッチカードの識別情報、及び判定結果などを紙葉類の束毎に対応付ける。紙葉類処理装置１００は、対応付けられた検査結果（バッチカードＩＤ、紙葉類の種別、枚数、及び判定結果を含む）をサーバ３００に送信する。
【００１５】
また、紙葉類処理装置１００は、バッチカードを排除券として排出する。即ち、紙葉類処理装置１００は、再検査が必要であると判断された紙葉類と、バッチカードとの束を排除券として排出する。
【００１６】
サーバ３００は、紙葉類処理装置１００から送信された検査結果にインデックスを付し、サーバ３００内の記憶媒体に格納する。
【００１７】
また、紙葉類処理装置１００、及び再検査装置２００を操作するオペレータは、紙葉類処理装置１００から排出された排除券を再検査装置２００に投入する。再検査装置２００は、投入された排除券を再検査する。この場合、再検査装置２００は、紙葉類処理装置１００と同様に、紙葉類と、バッチカードとの束を処理する。
【００１８】
なお、紙葉類処理装置１００と再検査装置２００とでは、要求された紙葉類の処理速度が異なる。この為、再検査装置２００は、紙葉類処理装置１００に比べて、より遅い速度で紙葉類を搬送する。また、再検査装置２００は、紙葉類処理装置１００に比べて、より細かい解像度で紙葉類をスキャンすることができる。また、再検査装置２００は、紙葉類の間に挿入されたバッチカードから識別情報を取得することができる。
【００１９】
再検査装置２００は、通常の状態（デフォルトの状態）で、通常処理モードで再検査を実行する。再検査装置２００は、通常処理モードで動作する場合、紙葉類処理装置１００に比べてより高い精度で紙葉類の検査を行うことができる。
【００２０】
例えば、上記したように、再検査装置２００は、紙葉類処理装置１００に比べてより遅い速度で紙葉類を搬送する為、紙葉類のばたつきを抑えることができる。また、上記したように、再検査装置２００は、紙葉類処理装置１００に比べてより細かい解像度で紙葉類をスキャンする為、紙葉類のより精細な印刷を判別に用いることができる。この結果、再検査装置２００は、より高い精度で各種の判別を実行することができる。
【００２１】
再検査装置２００は、確認処理モードで再検査を実行することができる。再検査装置２００は、確認処理モードで動作する場合、通常処理モードに比べて紙葉類の判別に用いる項目より少ない項目で紙葉類を検査することができる。これにより、再検査装置２００は、確認処理モードで動作する場合、オペレータが目視で確認することができる項目を検査項目から除外することができる。
【００２２】
さらに、再検査装置２００は、確認処理モードで動作する場合、通常モードとは異なる閾値を用いて各種の判別を行う構成であってもよい。これにより、再検査装置２００は、より紙葉類が再流通可能な正券であると判別されやすいような閾値を用いることができる。この結果、再検査装置２００は、紙葉類の再検査の回数が嵩むことを防ぐことができる。
【００２３】
さらに、再検査装置２００は、検査無し計数モードで紙葉類を処理することができる。再検査装置２００は、検査無し計数モードで動作する場合、紙葉類の券種、真偽、及び汚損度の判別を行わず、紙葉類の数を計数する。即ち、再検査装置２００は、判別を行うことなく、オペレータにより目視で正券であることが確認された紙葉類の数を計数することができる。この結果、再検査装置２００は、紙葉類の再検査の回数が嵩むことを防ぐことができる。また、再検査装置２００は、検査無し計数モードで動作する場合、計数した紙葉類を裁断することができる。
【００２４】
なお、再検査装置２００は、検査無し計数モードで動作する場合、紙葉類から画像を取得する。また、再検査装置２００は、各検査器による検出値を取得する。再検査装置２００は、検査無し計数モードで動作する場合、紙葉類の画像、各検査器の検出値、処理日時、操作者名、紙葉類の種別、バッチカードの識別情報、及び他の情報などを対応付けて記憶する。
【００２５】
再検査装置２００は、紙葉類の計数結果、紙葉類の種別、バッチカードの識別情報、及び判定結果などを排除券である紙葉類の束毎に対応付ける。再検査装置２００は、対応付けられた再検査結果（バッチカードＩＤ、紙葉類の種別、枚数、及び判定結果を含む）をサーバ３００に送信する。
【００２６】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。
【００２７】
図２は、一実施形態に係る紙葉類処理装置１００の外観を示す。  
図２に示すように、紙葉類処理装置１００は、装置外部に、投入部１１２、操作部１３６、操作表示部１３７、ドア１３８、取出口１３９、及びキーボード１４０を備えている。
【００２８】
投入部１１２は、例えば紙幣などの紙葉類Ｐを投入するための構成である。投入部１１２は、重ねられた状態の紙葉類Ｐをまとめて受け入れる。なお、上記したように、紙葉類Ｐの束の間には、固有の識別情報を有するバッチカードが挿入されている。
【００２９】
操作部１３６は、オペレータによる各種操作入力を受け付ける。操作表示部１３７は、オペレータに対して各種の操作案内、及び処理結果などを表示する。なお、操作表示部１３７は、タッチパネルとして構成されていてもよい。この場合、紙葉類処理装置１００は、操作表示部１３７に表示されるボタンと、操作表示部１３７に対するオペレータによる操作と、に基づいて、各種の操作入力を検知する。
【００３０】
ドア１３８は、投入部１１２の投入口を開閉する為のドアである。取出口１３９は、紙葉類処理装置１００により再流通不可と判断された紙葉類Ｐがスタックされる集積部から紙葉類Ｐを取り出す為の構成である。キーボード１４０は、オペレータによる各種操作入力を受け付ける入力部として機能する。
【００３１】
図３は、図２の紙葉類処理装置１００の構成例を示す。  
紙葉類処理装置１００は、装置内部に、投入部１１２、取出部１１３、吸着ローラ１１４、搬送路１１５、検査部１１６、ゲート１２０乃至１２５、排除搬送路１２６、排除集積部１２７、集積・結束部１２８乃至１３１、裁断部１３３、及びスタッカ１３４を備える。また、紙葉類処理装置１００は、主制御部１５１を備える。主制御部１５１は、紙葉類処理装置１００の各部の動作を統合的に制御する。
【００３２】
取出部１１３は、投入部の上部に設けられる。取出部１１３は、吸着ローラ１１４を備えている。吸着ローラ１１４は、投入部１１２にセットされた紙葉類Ｐを集積方向の上端に接するように設けられている。即ち、吸着ローラ１１４は、回転することにより、投入部１１２にセットされた紙葉類Ｐを集積方向の上端から１枚ずつ装置内部に取り込む。吸着ローラ１１４は、たとえば、１回転するごとに１枚の紙葉類Ｐを取出すように機能する。これにより、吸着ローラ１１４は、紙葉類Ｐを一定のピッチで取出す。吸着ローラ１１４により取り込まれた紙葉類Ｐは、搬送路１１５に導入される。また、吸着ローラ１１４は、例えば真空ポンプによる吸引力を使って紙葉類の表面に吸着して取り出す吸着ロータを備える構成であってもよい。
【００３３】
搬送路１１５は、紙葉類Ｐを紙葉類処理装置１００内の各部に搬送する。搬送路１１５は、図示しない搬送ベルト及び駆動プーリなどを備えている。搬送路１１５は、図示しない駆動モータ及び駆動プーリにより搬送ベルトを動作させる。搬送路１１５は、吸着ローラ１１４により取り込まれた紙葉類Ｐを搬送ベルトにより一定速度で搬送する。なお、搬送路１１５における取出部１１３に近い側を上流側、スタッカ１３４に近い側を下流側として説明する。
【００３４】
取出部１１３から延びた搬送路１１５上には、検査部１１６が設けられている。検査部１１６は、画像読取装置１１７、画像読取装置１１８、及び厚み検査部１１９を備えている。検査部１１６は、紙葉類Ｐの光学的特徴情報、機械的特徴、及び磁気的特長情報を検出する。これにより、紙葉類処理装置１００は、紙葉類Ｐの種類（券種）、汚損度、及び真偽などを検知する。
【００３５】
画像読取装置１１７、及び１１８は、それぞれ搬送路１１５を挟んで対面するように設けられている。画像読取装置１１７、及び１１８は、搬送路１１５を搬送される紙葉類Ｐの両面の画像を読み取る。画像読取装置１１７、及び１１８は、それぞれ、Ｃｈａｒｇｅ  Ｃｏｕｐｌｅｄ  Ｄｅｖｉｃｅ（ＣＣＤ）カメラを備える。紙葉類処理装置１００は、画像読取装置１１７、及び１１８により撮像した画像に基づいて、紙葉類Ｐの表面及び裏面の模様画像を取得する。また、画像読取装置１１７、及び１１８は、バッチカードに印字された識別情報の画像を取得し、取得した画像を主制御部１５１に送信する。
【００３６】
画像読取装置１１７、及び１１８は、読み取った画像を検査部１１６内の図示しないメモリに一時的に記憶する。紙葉類処理装置１００は、このメモリに記憶されている画像を操作入力に応じて操作表示部１３７に表示することができる。
【００３７】
厚み検査部１１９は、搬送路１１５を搬送される紙葉類Ｐの厚みを検査する。例えば、検出した厚みが規定値以上である場合、紙葉類処理装置１００は、紙葉類Ｐの２枚取りを検出する。
【００３８】
また、検査部１１６は、図示しない磁気センサなどを備えている。磁気センサは、紙葉類Ｐの磁気的な特徴情報を検出する。
【００３９】
主制御部１５１は、画像読取装置１１７、１１８、厚み検査部１１９、及び磁気センサなどによる検出結果に基づいて、各種の判別を行う。例えば、主制御部１５１は、紙葉類Ｐの券種（ｄｅｎｏｍｉｎａｔｉｏｎ）を判定する。
【００４０】
また、主制御部１５１は、紙葉類Ｐの真偽（ａｕｔｈｅｎｔｉｃａｔｉｏｎ）を判定する。すなわち、主制御部１５１は、紙葉類Ｐが真券(ｇｅｎｕｉｎｅ)であるか、偽券(ｃｏｕｎｔｅｒｆｅｉｔ)であるかを判定する。
【００４１】
また、主制御部１５１は、紙葉類Ｐの正損（ｆｉｔｎｅｓｓ）を検知する。即ち、主制御部１５１は、紙葉類Ｐが再流通可能（ｒｅｃｉｒｃｕｌａｔａｂｌｅ）な正券（ｆｉｔ  ｓｈｅｅｔ）であるか、再流通不可能（ｕｎｒｅｃｉｒｃｕｌａｔａｂｌｅ）な損券（ｕｎｆｉｔ  ｓｈｅｅｔ）であるかを判定する。
【００４２】
さらに、主制御部１５１は、紙葉類Ｐが排除券であるか否か判定する。すなわち、主制御部１５１は、偽券と判定された紙葉類Ｐ、または厚み検査部１１９により重なりが検知された紙葉類Ｐ、または判別が不可能であった紙葉類Ｐを排除券と判定する。また、主制御部１５１は、搬送経路中で前の紙葉類Ｐと後ろの紙葉類Ｐとの間隔が短い為に各検出器による検出が正しく行われないショートピッチが発生した紙葉類Ｐを排除券と判定する。
【００４３】
また、主制御部１５１は、画像読取装置１１７及び１１８により取得されたバッチカードの識別情報の画像に基づいて、バッチカードの識別情報を認識することができる。
【００４４】
紙葉類処理装置１００は、正券と判定した紙葉類Ｐを集積・結束部１２８乃至１３１に搬送する。また、紙葉類処理装置１００は、損券と判定した紙葉類Ｐを裁断部１３３に搬送する。裁断部１３３は、搬送される損券を裁断する。なお、紙葉類処理装置１００は、損券をスタッカ１３４に搬送し集積してもよい。例えば、スタッカ１３４は、集積した損券が例えば１００枚に到達するごとに施封を行う。
【００４５】
紙葉類処理装置１００は、排除券と判定した紙葉類Ｐを排除集積部１２７に搬送する。排除券は、例えば、２枚取り券などの搬送異常券、折れまたは破れなどが存在する不良券、及び適用外券種または偽券などの判別不能券を含む。また、紙葉類処理装置１００は、紙葉類Ｐ及び紙葉類Ｐの間に挿入されたバッチカードを排除券として排除集積部１２７に搬送する。
【００４６】
検査部１１６の下流側の搬送路１１５上には、ゲート１２０乃至１２５が順に配設されている。ゲート１２０乃至１２５は、それぞれ、主制御部１５１により制御される。主制御部１５１は、検査部１１６による検査の結果に基づいて各ゲート１２０乃至１２５の動作を制御する。これにより、主制御部１５１は、搬送路１１５を搬送されている紙葉類Ｐを所定の処理部に搬送するように制御する。
【００４７】
検査部１１６の直後に配設されたゲート１２０は、搬送路１１５を排除搬送路１２６に分岐する。即ち、ゲート１２０は、検査部１１６による検査の結果、真券ではないと判定された排除券、または、検査部１１６による検査を行うことができない検査不能券等を排除搬送路１２６に搬送するように切り替えられる。
【００４８】
排除搬送路１２６の終端部には、排除集積部（排除部）１２７が設けられている。排除集積部１２７は、取出部１１３にて取出した姿勢のまま、上記したような排除券、及び検査不能券を集積する。排除集積部１２７に集積された紙葉類Ｐは、取出口１３９から取り出すことができる。
【００４９】
また、ゲート１２１乃至１２４により分岐される先には、集積・結束部１２８乃至１３１（総じて集積結束部１３２と称する）がそれぞれ設けられている。集積・結束部１３２には、再流通可能であると判定された紙葉類Ｐが券種及び表裏毎に区別されて集積される。集積・結束部１３２は、集積した紙葉類Ｐを所定枚数毎に結束して格納する。
【００５０】
ゲート１２５により分岐される先には、裁断部１３３が配設されている。裁断部１３３は、紙葉類Ｐを裁断して収納する。ゲート１２５に搬送される紙葉類Ｐは、正規の紙葉類Ｐであり、且つ、再流通が不可能であると判定された紙葉類Ｐ（損券）である。
【００５１】
また、ゲート１２５により分岐される他方の搬送路の先には、スタッカ１３４が配設されている。主制御部１５１は、損券裁断モードが選択されている場合、紙葉類Ｐを裁断部１３３に搬送するようにゲート１２５を制御する。また、主制御部１５１は、損券裁断モードが選択されていない場合、紙葉類Ｐをスタッカ１３４に搬送するようにゲート１２５を制御する。
【００５２】
なお、オペレータは、操作部１３６、操作表示部１３７、及びキーボード１４０などを操作することにより、紙葉類処理装置１００に処理させる紙葉類Ｐの種類（券種）を任意で設定させることができる。
【００５３】
なお、主制御部１５１は、集積・結束部１３２または裁断部１３３に搬送された紙葉類Ｐの紙葉類の計数結果、紙葉類の種別、バッチカードの識別情報、及び判定結果などを紙葉類の束毎に対応付けて、検査結果として記憶する。また、主制御部１５１は、検査結果をサーバ３００に送信する。
【００５４】
図４は、図２及び図３の紙葉類処理装置１００の制御系の構成例を示す。  
紙葉類処理装置１００は、主制御部１５１、検査部１１６、搬送制御部１５２、裁断制御部１５６、操作表示部１３７、キーボード１４０、などを備える。また、紙葉類処理装置１００は、プリンタ１４１、ＵＳＢハブ１６１、トランスポートコントローラ１６２、バンダーコントローラ１６３、及び検知コントローラ１６４などを備える。
【００５５】
主制御部１５１は、紙葉類処理装置１００の全体的な制御を司る。主制御部１５１は、例えば、ＰＣ（パーソナルコンピュータ）等の一部により実現することができる。
【００５６】
主制御部１５１は、操作表示部１３７により入力される操作、及び検査部１１６による検査結果に基づき、搬送制御部１５２及び裁断制御部１５６を制御する。また、主制御部１５１は、処理結果などをプリンタ１４１により帳票として出力することができる。
【００５７】
また、主制御部１５１には、ＵＳＢハブ１６１が接続されている。また、ＵＳＢハブ１６１には、トランスポートコントローラ１６２、バンダーコントローラ１６３、及び検知コントローラ１６４などが接続されている。
【００５８】
主制御部１５１は、トランスポートコントローラ１６２を介して、搬送制御部１５２、裁断制御部１５６、及び取出部１１３などの動作を制御することができる。また、主制御部１５１は、バンダーコントローラ１６３を介して、集積・結束部１２８乃至１３１の動作を制御することができる。また、主制御部１５１は、検知コントローラ１６４を介して、検査部１１６の各検出機器の動作を制御することができる。
【００５９】
例えば、操作員は、操作表示部１３７またはキーボード１４０により、処理する紙葉類Ｐに対する各種の判定における処理項目毎の閾値、紙葉類Ｐの供給元の名称、及び処理方法などを入力する。
【００６０】
検査部１１６は、上記したように、画像読取装置１１７、及び１１８、及び厚み検査部１１９などを備える。
【００６１】
搬送制御部１５２は、主制御部１５１の制御に基づき、取出部１１３、搬送路１１５、排除搬送路１２６、及びゲート１２０乃至１２５を制御する。これにより、搬送制御部１５２は、紙葉類Ｐの取り込み及び搬送を制御する。また、搬送制御部１５２は、判定した紙葉類Ｐの券種毎に区分する区分処理を行う。即ち、搬送制御部１５２は、区分処理部として機能する。
【００６２】
例えば、搬送制御部１５２は、損券と判定された紙葉類Ｐを裁断部１３３、またはスタッカ１３４に搬送するようにゲート１２０乃至１２５を制御する。また、搬送制御部１５２は、排除券と判定された紙葉類Ｐ及びバッチカードを排除集積部１２７に搬送するようにゲート１２０乃至１２５を制御する。
【００６３】
バンダーコントローラ１６３は、主制御部１５１の制御に基づき、排除集積部１２７及び集積・結束部１２８乃至１３１を制御する。これにより、バンダーコントローラ１６３は、紙葉類Ｐの集積、及び結束の制御を行なう。
【００６４】
裁断制御部１５６は、主制御部１５１の制御に基づき、裁断部１３３の動作を制御する。これにより、裁断部１３３は、搬送される紙葉類Ｐの裁断を行う。
【００６５】
また、主制御部１５１は、検査部１１６の各検査器による検査項目毎の閾値（第１の判定閾値）を予め記憶するメモリ１５１ａを備える。主制御部１５１は、検査部１１６の各検査器により検出された検出値と、メモリ１５１ａに記憶されている閾値とを比較し、比較結果に基づいて紙葉類Ｐの券種、真偽、正損、紙葉類Ｐが排除券であるか否かなどを判定する。
【００６６】
なお、メモリ１５１ａに記憶されている第１の判定閾値は、操作部１３６、操作表示部１３７、及びキーボード１４０などに対する入力に基づいて変更されてもよい。
【００６７】
図５は、紙葉類処理装置１００に投入される紙葉類Ｐ及びバッチカードの束の例を示す。  
まず、１０００枚の紙葉類Ｐの束Ｂを作る。束Ｂのつくり方は、たとえば以下の２つがある。
【００６８】
第１の束の作り方として、同一の回収機関により回収された施封帯５１が外された１００枚の紙葉類Ｐの束５２を１０把積み重ねる方法がある。この場合、１０００枚の紙葉類Ｐの束Ｂに対して、１枚のバッチカード５３が挿入される。
【００６９】
また、第２の束の作り方として、異なる回収機関により回収された施封帯の無い紙葉類Ｐの束５２毎にバッチカード５３を挿入する方法がある。
【００７０】
バッチカード５３を紙葉類Ｐの束５２に挿入する処理は、紙葉類処理装置１００による処理の前にオペレータにより行われる。
【００７１】
図６は、再検査装置２００の構成の例を示す。  
オペレータは、紙葉類処理装置１００から排出された排除券を取り出し、再検査装置２００の投入部に供給する。なお、排除券は、排出された紙葉類Ｐと、バッチカードとが積層された状態で紙葉類処理装置１００から排出される。
【００７２】
再検査装置２００は、装置外部に、投入部２１２、及び操作表示部２３７を備えている。また、再検査装置２００は、装置内部に、取出部２１３、吸着ローラ２１４、搬送路２１５、検査部２１６、集積部２２８乃至２３１、裁断部２３３、及び排除集積部２３４を備える。また、再検査装置２００は、主制御部２５１を備える。主制御部２５１は、再検査装置２００の各部の動作を統合的に制御する。
【００７３】
投入部２１２、取出部２１３、吸着ローラ２１４、及び搬送路２１５は、紙葉類処理装置１００の投入部１１２、取出部１１３、吸着ローラ１１４、搬送路１１５とそれぞれ同様の構成である。投入部２１２は、供給された排除券を受け入れる。
【００７４】
取出部２１３は、投入部の上部に設けられる。取出部２１３は、吸着ローラ２１４を備えている。吸着ローラ２１４は、投入部２１２にセットされた紙葉類Ｐを１枚ずつ装置内部に取り込む。吸着ローラ２１４により取り込まれた紙葉類Ｐは、搬送路２１５に導入される。
【００７５】
搬送路２１５は、紙葉類Ｐを再検査装置２００内の各部に搬送する。搬送路２１５は、図示しない搬送ベルト及び駆動プーリなどを備えている。搬送路２１５は、図示しない駆動モータ及び駆動プーリにより搬送ベルトを動作させる。搬送路２１５は、吸着ローラ２１４により取り込まれた紙葉類Ｐを搬送ベルトにより一定速度で搬送する。なお、搬送路２１５における取出部２１３に近い側を上流側、裁断部２３３に近い側を下流側として説明する。
【００７６】
なお、再検査装置２００の搬送路２１５は、紙葉類処理装置１００の搬送路１１５に比べて遅い速度で紙葉類Ｐを搬送する。これにより、搬送路２１５は、搬送路１１５に比べてより紙葉類Ｐのばたつきを抑えることができる。
【００７７】
取出部２１３から延びた搬送路２１５上には、検査部２１６が設けられている。検査部２１６は、画像読取装置、磁気検知装置、及び厚み検査部などを備えている。検査部２１６は、紙葉類Ｐの光学的特徴情報、機械的特徴、及び磁気的特長情報を検出する。これにより、再検査装置２００は、紙葉類Ｐの種類（券種）、汚損度、及び真偽などを検知する。
【００７８】
画像読取装置は、それぞれ搬送路２１５を挟んで対面するように対の状態で設けられている。画像読取装置は、搬送路２１５を搬送される紙葉類Ｐの両面の画像を読み取る。一対の画像読取装置は、それぞれ、Ｃｈａｒｇｅ  Ｃｏｕｐｌｅｄ  Ｄｅｖｉｃｅ（ＣＣＤ）カメラを備える。再検査装置２００は、画像読取装置により撮像した画像に基づいて、紙葉類Ｐの表面及び裏面の模様画像を取得する。また、画像読取装置は、バッチカードに印字された識別情報の画像を取得し、取得した画像を主制御部２５１に送信する。
【００７９】
画像読取装置は、読み取った画像を検査部２１６内の図示しないメモリに一時的に記憶する。再検査装置２００は、このメモリに記憶されている画像を操作入力に応じて操作表示部２３７に表示することができる。
【００８０】
厚み検査部は、搬送路２１５を搬送される紙葉類Ｐの厚みを検査する。例えば、検出した厚みが規定値以上である場合、再検査装置２００は、紙葉類Ｐの２枚取りを検出する。
【００８１】
また、磁気検出装置（磁気船センサ）は、紙葉類Ｐの磁気的な特徴情報を検出する。
【００８２】
操作表示部２３７は、オペレータに対して各種の操作案内、及び処理結果などを表示する。なお、操作表示部２３７は、タッチパネルとして構成されていてもよい。この場合、再検査装置２００は、操作表示部２３７に表示されるボタンと、操作表示部２３７に対するオペレータによる操作と、に基づいて、各種の操作入力を検知する。
【００８３】
主制御部２５１は、検査部２１６の各検出器により検出された検出結果（即ち、紙葉類Ｐから検出された画像、磁気、及び厚みなど）に基づいて、各種の判別を行う。主制御部２５１は、紙葉類Ｐの券種、真偽、及び正損などを判別する。
【００８４】
また、主制御部２５１は、紙葉類Ｐが排除すべきか否かを判別する。例えば、主制御部２５１は、偽券と判定された紙葉類Ｐ、または厚み検査部により重なりが検知された紙葉類Ｐ、または判別が不可能であった紙葉類Ｐを排除券であると判定する。
【００８５】
また、主制御部２５１は、搬送経路中で前の紙葉類Ｐと後ろの紙葉類Ｐとの間隔が短い為に各検出器による検出が正しく行われないショートピッチが発生した紙葉類Ｐを排除券と判定する。
【００８６】
また、主制御部２５１は、検査部２１６の画像読取装置により取得されたバッチカードの識別情報の画像に基づいて、バッチカードの識別情報を認識することができる。
【００８７】
再検査装置２００は、正券と判定した紙葉類Ｐを集積部２２８乃至２３１に搬送する。また、再検査装置２００は、損券と判定した紙葉類Ｐを裁断部２３３に搬送する。裁断部２３３は、裁断機２３３ａとスタッカ２３３ｂとを備える。裁断部２３３の裁断機２３３ａは、搬送される損券を裁断する。裁断部２３３は、裁断された紙葉類Ｐの紙片をスタッカ２３３ｂに蓄積する。このスタッカ２３３ｂは、外部から紙片を取り除くことができる取り出し口を備えている。即ち、オペレータは、取り出し口から裁断されたスタッカ２３３ｂに蓄積された紙葉類Ｐの紙片を取り出すことができる。
【００８８】
再検査装置２００は、排除券と判定した紙葉類Ｐを排除集積部２３４に搬送する。排除券は、例えば、２枚取り券などの搬送異常券、折れまたは破れなどが存在する不良券、及び適用外券種または偽券などの判別不能券を含む。また、再検査装置２００は、紙葉類Ｐ及び紙葉類Ｐの間に挿入されたバッチカードを排除券として排除集積部２３４に搬送する。
【００８９】
また、検査部２１６の下流側の搬送路２１５上には、図示しない複数のゲートが設けられている。ゲートは、それぞれ、主制御部２５１により制御される。主制御部２５１は、検査部２１６による検査の結果に基づいて各ゲートの動作を制御する。これにより、主制御部２５１は、搬送路２１５を搬送されている紙葉類Ｐを所定の処理部に搬送するように制御する。
【００９０】
また、主制御部２５１は、真券ではないと判定された排除券、または、検査部２１６による検査を行うことができない検査不能券等が排除集積部２３４に集積されるように各ゲート及び搬送路を制御する。なお、排除集積部２３４は、集積された紙葉類Ｐをオペレータが取り出すことができるように構成されている。
【００９１】
また、主制御部２５１は、正券であると判別した紙葉類Ｐが集積部２２８乃至２３１（総じて集積部２３２と称する）に搬送されるように各ゲート及び搬送路を制御する。
【００９２】
また、主制御部２５１は、損券であると判別した紙葉類Ｐが裁断部２３３に搬送されるように各ゲート及び搬送路を制御する。
【００９３】
なお、オペレータは、操作表示部２３７などを操作することにより、再検査装置２００に処理させる紙葉類Ｐの種類（券種）を任意で設定させることができる。
【００９４】
なお、主制御部２５１は、集積部２３２または裁断部２３３に搬送された紙葉類Ｐの紙葉類の計数結果、紙葉類の種別、バッチカードの識別情報、及び判定結果などを紙葉類の束毎に対応付けて、再検査結果として記憶する。また、主制御部２５１は、再検査結果をサーバ３００に送信する。
【００９５】
なお、主制御部２５１は、検査部２１６の各検査器による検査項目毎の閾値（第２の判定閾値）を予め記憶するメモリ２５１ａを備える。主制御部２５１は、検査部２１６の各検査器により検出された検出値と、メモリ２５１ａに記憶されている閾値とを比較し、比較結果に基づいて紙葉類Ｐの券種、真偽、正損、紙葉類Ｐが排除券であるか否かなどを判定する。
【００９６】
なお、メモリ２５１ａに記憶されている第２の判定閾値は、操作表示部２３７などに対する入力に基づいて変更されてもよい。
【００９７】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。
【００９８】
なお、紙葉類処理装置１００で排除券として排出される紙葉類Ｐは、一般的に全体の数パーセントの割合である。この為、再検査装置２００に求められている処理速度は、紙葉類処理装置１００に比べて低速である。この為、上記したように、再検査装置２００は、紙葉類処理装置１００に比べてより遅い速度で紙葉類Ｐの取り出し及び搬送を行う。この為、再検査装置２００は、紙葉類処理装置１００に比べて紙葉類Ｐの搬送時のばたつきを抑えることができる。
【００９９】
また、検査部１１６及び検査部２１６の各検出器は、紙葉類Ｐの搬送速度に同期したタイミング（タイミングクロック）で各値を検出する。この場合も、再検査装置２００が紙葉類処理装置１００に比べてより遅い速度で紙葉類Ｐを搬送する為、検査部２１６の各検出器は、検査部１１６に比べてより細かく各値を検出することができる。即ち、検査部２１６の各検出器は、検査部１１６に比べてより短いサンプリング周期で各値を検出することができる。
【０１００】
再検査装置２００は、このように検出された高精度のデータに基づいて、紙葉類処理装置１００に比べてより細かく紙葉類Ｐの特徴を検査することができる。これにより、再検査装置２００は、紙葉類処理装置１００で判別不能と判定された排除券をより高い精度で判別することができる。
【０１０１】
また、再検査装置２００は、紙葉類処理装置１００に比べて紙葉類Ｐ１枚あたりの判別により長い時間を使うことができる。この為、再検査装置２００は、紙葉類処理装置１００に比べてより複雑な演算を用いて紙葉類Ｐを判別することができる。例えば、再検査装置２００は、紙葉類処理装置１００に比べてより多くの検査項目を紙葉類Ｐの判別に用いることができる。
【０１０２】
例えば、紙葉類処理装置１００では、紙葉類Ｐ上の一部を紙葉類Ｐの判別に用いる。これに対し、再検査装置２００は、紙葉類処理装置１００に比べて紙葉類Ｐ上のより多くの部分を紙葉類Ｐの判別に用いることができる。
【０１０３】
この結果、再検査装置２００は、紙葉類処理装置１００とは異なる検査項目を用いて紙葉類Ｐの各種の特徴を判別することができる。これにより、再検査装置２００は、紙葉類処理装置１００に比べてより、高い精度で紙葉類Ｐの特徴を判別することができる。
【０１０４】
また、再検査装置２００が紙葉類処理装置１００に比べてより遅い速度で紙葉類Ｐを搬送する為、検査部２１６の各検出器は、検査部１１６に比べてより紙葉類Ｐ毎のばらつきが少ない状態で各値を検出することができる。この為、再検査装置２００は、メモリ２５１ａに記憶されている第２の判定閾値を紙葉類処理装置１００のメモリ１５１ａに記憶されている第１の判定閾値に比べてより合格範囲を広く設定することができる。
【０１０５】
図７は、紙葉類Ｐが静止している状態での検出結果と判定閾値との例を示す。  
紙葉類Ｐが静止している場合、ばたつきは生じない。この為、検査器により紙葉類Ｐから検出された検出値は、紙葉類Ｐ毎にばらつかない。この為、正券である紙葉類Ｐから検出された検出値（正券信号Ａ）と、偽券である紙葉類Ｐから検出された検出値（偽券信号Ａ）との差が大きくなる。
【０１０６】
図８は、紙葉類処理装置１００による紙葉類Ｐの検出結果と、メモリ１５１ａに設定されている第１の判定閾値との例を示す。  
紙葉類処理装置１００では、紙葉類Ｐが再検査装置２００に比べて高速で処理される。この為、検査部１１６の各検査器により紙葉類Ｐから検出された検出値が紙葉類Ｐ毎にばらつく。この為、正券である紙葉類Ｐから検出された検出値（正券信号Ｂ）と、偽券である紙葉類Ｐから検出された検出値（偽券信号Ｂ）との差が小さくなる可能性がある。
【０１０７】
図９は、再検査装置２００による紙葉類Ｐの検出結果と、メモリ２５１ａに設定されている第２の判定閾値との例を示す。  
再検査装置２００では、紙葉類Ｐが紙葉類処理装置１００に比べて低速で処理される。この為、検査部２１６の各検査器により紙葉類Ｐから検出された検出値のばらつきが、紙葉類処理装置１００に比べて小さい。この為、正券である紙葉類Ｐから検出された検出値（正券信号Ｃ）と、偽券である紙葉類Ｐから検出された検出値（偽券信号Ｃ）との差が、紙葉類処理装置１００による検出結果に比べて大きくなる。
【０１０８】
即ち、上記した正券信号（最多値）Ａ、Ｂ、及びＣは、「正券信号Ａ＞正券信号Ｂ＞正券信号Ｃ」という関係を満たす。また、偽券信号（最大値）Ａ、Ｂ、及びＣは、「偽券信号Ａ＝偽券信号Ｂ＝偽券信号Ｃ」という関係を満たす。この結果、判定マージンは、判定マージンＣ＞判定マージンＢの関係を満たす。即ち、同じ正券である紙葉類Ｐが再検査装置２００により排除される可能性は、紙葉類処理装置１００により排除される可能性に比
紙葉類処理装置１００は、偽券を正券であると判定することを防ぐ為に、第１の判定閾値が示す合格範囲を狭く設定する必要がある。この為、紙葉類処理装置１００は、再検査装置２００に比べて同じ紙葉類Ｐが排除券であると判定されやすい（合格範囲の狭い）第１の判定閾値Ｂが設定されている。また、再検査装置２００は、紙葉類Ｐ毎のばたつきが小さいため、偽券を正券であると判定する可能性が紙葉類処理装置１００に比べて低い。この為、再検査装置２００は、紙葉類処理装置１００に比べて同じ紙葉類Ｐが排除券であると判定されにくい（合格範囲の広い）第２の判定閾値Ｃが設定されている
即ち、再検査装置２００は、第１の判定閾値に比べてより紙葉類Ｐが真券として判定されやすい閾値を第２の判定閾値として設定することができる。この結果、より効率的に紙葉類を検査することができる紙葉類の再検査装置、紙葉類検査システム、及び紙葉類検査方法を提供することができる。
【０１０９】
また、再検査装置２００は、通常の状態（デフォルトの状態）で、通常処理モードで再検査を実行する。通常処理モードは、排除券を再検査する既定の処理モードである。再検査装置２００は、通常処理モードで動作する場合、上記したような再検査を行う。また、再検査装置２００は、通常処理モードで動作する場合、正券、または損券と判別された紙葉類Ｐの枚数と、各検査項目別の判別結果の件数とを保存する。
【０１１０】
さらに、再検査装置２００は、通常処理モードで排除された紙葉類Ｐに対して、確認処理モードで再検査を実行する。確認処理モードは、再検査装置２００を操作するオペレータが目視確認で有効（正券または損券）であると判別された紙葉類Ｐを失効処理するためのモードである。再検査装置２００は、操作表示部２３７に対する操作入力に応じて、再検査装置２００を通常モードから確認処理モードに切り替える。また、再検査装置２００は、通常処理モードで排除券が発生した場合、通常処理モードから確認処理モードに自動的に切り替える構成であってもよい。
【０１１１】
再検査装置２００は、確認処理モードで動作する場合、通常処理モードに比べて紙葉類の判別に用いる項目より少ない項目で紙葉類を検査することができる。これにより、再検査装置２００は、確認処理モードで動作する場合、オペレータが目視で確認することができる項目を検査項目から除外することができる。即ち、再検査装置２００は、確認処理モードで動作する場合、通常処理モードの検査項目のセット（第１の検査項目のセット）よりも検査項目の少ない第２の検査項目のセットで紙葉類Ｐの再検査を行う。さらに、再検査装置２００は、計数が行われた紙葉類Ｐを裁断部２３３により裁断する。
【０１１２】
また、再検査装置２００は、特定の項目を検査項目から除外するのではなく、特定の検査項目の判定閾値を変更する構成であってもよい。例えば、再検査装置２００は、確認処理モードで動作する場合、オペレータが目視で確認することができる項目の判定閾値を通常処理モードに比べて紙葉類Ｐがより排除券であると判定されにくい（合格範囲の広い）値に変更する。これにより、再検査装置２００は、紙葉類の再検査の回数が嵩むことを防ぐことができる。
【０１１３】
なお、オペレータにより目視で確認できる検査項目は、例えば、透かし、テープによる貼りあわせ、及び欠損の度合いなどである。再検査装置２００は、確認処理モードで動作する場合、これらの項目を検査項目から除外する、またはこれらの項目の検査に用いる判定閾値を変更する。
【０１１４】
再検査装置２００は、操作表示部２３７に対する操作入力に応じて、再検査装置２００を確認処理モードから検査無し計数モードに切り替える。また、再検査装置２００は、確認処理モードで排除券が発生した場合、確認処理モードから検査無し計数モードに自動的に切り替える構成であってもよい。またさらに、再検査装置２００は、パスワードを用いた所定の認証処理が行われた場合に検査無し計数モードへの切り替えを許可する構成であってもよい。
【０１１５】
再検査装置２００は、検査無し計数モードで動作する場合、紙葉類の券種、真偽、及び汚損度の判別を行わず、紙葉類の数を計数する。即ち、再検査装置２００は、判別を行うことなく、オペレータにより目視で正券であることが確認された紙葉類の数を計数することができる。この結果、再検査装置２００は、紙葉類の再検査の回数が嵩むことを防ぐことができる。また、再検査装置２００は、検査無し計数モードで動作する場合、計数が行われた紙葉類Ｐを裁断部２３３により裁断する。
【０１１６】
なお、再検査装置２００は、検査無し計数モードで動作する場合、紙葉類から画像を取得する。また、再検査装置２００は、各検査器による検出値を取得する。再検査装置２００は、検査無し計数モードで動作する場合、紙葉類の画像、各検査器の検出値、処理日時、操作者名、紙葉類の種別、バッチカードの識別情報、及び他の情報などを対応付けて処理履歴として記憶する。
【０１１７】
また、再検査装置２００は、操作入力に応じて、上記の処理履歴の各情報を操作表示部１３７に表示させることができる。再検査装置２００は、操作入力に応じて、記憶した紙葉類Ｐの画像、各検査器の検出値、処理日時、操作者名、紙葉類の種別、バッチカードの識別情報、及び他の情報などを操作表示部１３７に表示させることができる。さらに、再検査装置２００は、操作入力に応じて、記憶した紙葉類Ｐの画像、各検査器の検出値、処理日時、操作者名、紙葉類の種別、バッチカードの識別情報、及び他の情報のうちのいずれか、または複数の条件を指定し、指定された条件に当てはまる検査結果（各検査器の検出値）を操作表示部１３７に表示させることができる。
【０１１８】
以上の３種類の処理モードのいずれかにより、すべての排除券が計数され、失効される。この場合、再検査装置２００は、計数した結果、即ち、再検査結果をサーバ３００に送信する。
【０１１９】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。これにより、サーバ３００は、紙葉類処理装置１００または再検査装置２００により正券と判別された紙葉類Ｐの枚数と、損券と判別された紙葉類Ｐとの合計を算出する。オペレータにより、サーバ３００による集計結果と、予め入力された予定枚数とが一致した場合、紙葉類Ｐの一連の検査が完了する。
【０１２０】
上記したように、再検査装置２００は、より紙葉類が再流通可能な正券であると判別されやすいような閾値を用いて判別を行なう事ができる。この結果、再検査装置２００は、紙葉類の再検査の回数が嵩むことを防ぐことができる。また、再検査装置２００は、検査に用いた検査部２１６の検出値をトレース可能な状態で記憶する。これにより、再検査装置２００は、紙葉類Ｐが不正に計数されることを防ぐことができる。この結果、高いセキュリティを保ってより効率的に紙葉類を検査することができる紙葉類の再検査装置、紙葉類検査システム、及び紙葉類検査方法を提供することができる。
【０１２１】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１２２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１２３】
１…紙葉類検査システム、１００…紙葉類処理装置、１１２…投入部、１１３…取出部、１１４…吸着ローラ、１１５…搬送路、１１６…検査部、１１７…画像読取装置、１１８…画像読取装置、１１９…厚み検査部、１２０…ゲート、１２５…ゲート、１２６…排除搬送路、１２７…排除集積部、１３２…集積・結束部、１３３…裁断部、１３４…スタッカ、１３６…操作部、１３７…操作表示部、１４０…キーボード、１５１…主制御部、１５１ａ…メモリ、１５２…搬送制御部、１５６…裁断制御部、２００…再検査装置、２１２…投入部、２１３…取出部、２１４…吸着ローラ、２１５…搬送路、２１６…検査部、２３２…集積部、２３３…裁断部、２３４…排除集積部、２３７…操作表示部、２５１…主制御部、２５１ａ…メモリ、３００…サーバ。
【図１】
2014063331.tif 000003
【図２】
2014063331.tif 000004
【図３】
2014063331.tif 000005
【図４】
2014063331.tif 000006
【図５】
2014063331.tif 000007
【図６】
2014063331.tif 000008
【図７】
2014063331.tif 000009
【図８】
2014063331.tif 000010
【図９】
2014063331.tif 000011